(57)【要約】【課題】情報表示層にて表示される情報を視認する側の表面が平坦形状を有する情報表示装置においてその表面を斜めから見た場合であっても、情報表示層にて表示される情報が見ににくくなることを回避する。【解決手段】情報表示層３０における表示色を視認する側の表面に、透光性を具備するマット層５０を積層し、情報表示装置１を斜めから見た場合、光源から照射された照射光をこのマット層５０にて乱反射させる。【選択図】図１
2011197637.tif 000002
【特許請求の範囲】
【請求項１】
複数の電極からなる第１の電極層と、前記第１の電極層と対向配置された第２の電極層と、前記第１の電極層と前記第２の電極層との間に挟み込まれた情報表示層とを有し、前記複数の電極に電圧を印加することにより、一方の面側から視認した場合に、前記情報表示層の前記複数の電極に対向する領域にて当該電極に印加された電圧に応じた色を表示し、前記情報表示層における表示色を視認する側の表面が平坦形状を有する情報表示装置において、
前記平坦形状を有する表面上に、透光性を具備する凹凸層が積層されていることを特徴とする情報表示装置。
【発明の詳細な説明】
【技術分野】
【０００１】
本発明は、対向配置された２つの電極層間に挟み込まれた情報表示層において電極層に印加される電圧に基づいて情報を表示する情報表示装置に関する。
【背景技術】
【０００２】
従来より、情報を表示する表示装置として、ＣＲＴディスプレイや液晶ディスプレイ、プラズマディスプレイ等が用いられており、これらは、テレビ受像機に用いられることによりテレビ局から送信されたテレビ映像を表示したり、パソコンのディスプレイとして用いられることにより、パソコンに保存された情報やインターネットを介して配信された情報を表示したりすることができる。これらの表示装置は、それぞれ一長一短を有しており、例えば、ＣＲＴディスプレイは、視野角が広いものの奥行きサイズが厚く、また、液晶ディスプレイは、奥行きサイズが薄いものの視野角が狭く、また、プラズマディスプレイは、視野角が広く奥行きサイズが薄いものの消費電力が多い。
【０００３】
近年、上述したような表示装置に加えて、デジタル情報を紙のように薄い表示媒体に表示する薄型の情報表示装置が普及しはじめている。このような薄型の情報表示装置としては、例えば、対向配置された２つの電極層間に、帯電性粒子が液体内に分散した情報表示層を挟み込み、２つの電極層に電圧が印加された場合に帯電性粒子が液体内を移動することにより、情報を表示する電気泳動ディスプレイがある（例えば、特許文献１参照。）。このような薄型の情報表示装置は、紙のように薄いために携帯がしやすいとともに、消費電力が少なく、また視野角が広く、さらには、電極に印加する電圧によって表示される情報を書き換えることができるとともに、電源を切断した場合でも表示内容を保持できることから、今後のさらなる普及が予想される。
【０００４】
図４は、一般的な電気泳動ディスプレイの一例を示す図であり、（ａ）は表面図、（ｂ）は（ａ）に示したＡ−Ａ’断面図、（ｃ）は（ｂ）に示したＡ部拡大図である。
【０００５】
本例は図４に示すように、ＰＥＴ等からなるベース基材１１２の一方の面に表示電極１１１ａ〜１１１ｕが形成された表示装置用電極基板１１０と、ガラスや透明フィルム等からなる透明基板１２２の一方の面に透明電極（例えば、ＩＴＯ）１２１が形成されてなる透明導電膜基板１２０との間に情報表示層１３０が挟み込まれ、さらに、透明導電膜基板１２０上にマスクフィルム１４０が積層されて構成された電気泳動ディスプレイである。
【０００６】
表示装置用電極基板１１０は、ベース基材１１２の一方の面に、表示される情報に応じたパターンで表示電極１１１ａ〜１１１ｕが形成されているとともに、ベース基材１１２の他方の面には、その全面にアルミ層１１３が積層されている。本例は、この表示電極１１１ａ〜１１１ｕを用いて数字を表示するものであって、表示電極１１１ａ〜１１１ｃによって３つのセグメントからなる表示部と、表示電極１１１ｄ〜１１１ｌによって９つのセグメントからなる表示部と、表示電極１１１ｍ〜１１１ｕによって９つのセグメントからなる表示部とからなり、ベース基材１１２に形成された配線（不図示）を介して、これら表示電極１１１ａ〜１１１ｕに対して選択的に電圧が印加され、“０”〜“１９９”までの数字を表示することができる。
【０００７】
情報表示層１３０は図４（ｃ）に示すように、隔壁１３１とシール層１３４とで囲まれた領域に、帯電性粒子１３３が分散した隔壁内液体１３２が収容されて構成されている。そして、表示装置用電極基板１１０、情報表示層１３０及び透明導電膜基板１２０は、透明電極１２１と表示電極１１１ａ〜１１１ｕとが、隔壁１３１とシール層１３４とで囲まれた領域に収容された隔壁内液体１３２を介して対向するように積層されている。なお、隔壁１３１は、底部と、情報表示層１３０の外周部となる側部と、側部で囲まれた領域を複数の領域に区画するための壁部とからなり、底部とは反対側の面が開口した形状となっている。そして、底部側が表示装置用電極基板１１０に対向するように積層されており、開口した側にシール層１３４が積層されている。
【０００８】
マスクフィルム１４０は、ＰＥＴ等からなる透明なフィルム基材１４１上に、上述した表示電極１１１ａ〜１１１ｕによる表示部を取り囲むようにマスク印刷１４２が施されており、それにより、表示電極１１１ａ〜１１１ｕに接続された配線を隠蔽している。
【０００９】
上記のように構成された電気泳動ディスプレイにおいては、表示電極１１１ａ〜１１１ｕに選択的に電圧が印加されると、隔壁内液体１３２内にて帯電性粒子１３３がクーロン力で移動し、表示電極１１１ａ〜１１１ｕと透明電極１２１のいずれか一方の側に引き寄せられる。そして、隔壁内液体１３２が染料または顔料で着色されており、帯電性粒子１３３が高屈折率の光散乱成分を含むため、マスクフィルム１４０側から見た場合、表示電極１１１ａ〜１１１ｕ側に帯電性粒子１３３が引き寄せられた領域が着色された状態に見え、また、透明電極１２１側に帯電性粒子１３３が引き寄せられた領域が白色に見え、これら見える色の違いによって所望の情報が表現されることになる。
【先行技術文献】
【特許文献】
【００１０】
【特許文献１】特開２００７−１１４３０２号公報
【発明の概要】
【発明が解決しようとする課題】
【００１１】
上述した電気泳動ディスプレイのような情報表示装置においては、情報表示層及び電極を保護し、かつ、情報表示層にて表示される情報を視認可能な構成とするために、その表面がフィルム等の材料で覆われているが、一般的にフィルム等の材料はその表面が平坦な構造となっている。
【００１２】
図５は、図４に示した電気泳動ディスプレイを斜めから見た場合の作用を説明するための図である。
【００１３】
図４に示した電気泳動ディスプレイを斜めから見た場合、電気泳動ディスプレイにて情報が視認される面側において、情報を視認する視点１０５に対して、視認する情報が表示される情報視認点１０６を挟んで反対側に蛍光灯等の光源１０２が配置され、かつ、情報視認点１０６に対する視点１０５からの視認角度θが、蛍光灯等の光源１０２からの照射光１０３の情報視認点１０６に対する照射角度θと同一であると、図５に示すように、蛍光灯等の光源１０２から照射された照射光１０３が、電気泳動ディスプレイの表面となるフィルム基材１４１上にて反射して視点１０５に向かい、その反射光１０４の影響により、情報表示層１０３にて表示された情報が見難くなってしまうという問題点がある。
【００１４】
本発明は、上述したような従来の技術が有する問題点に鑑みてなされたものであって、情報表示層にて表示される情報を視認する側の表面が平坦形状を有する情報表示装置においてその表面を斜めから見た場合であっても、情報表示層にて表示される情報が見ににくくなることを回避することができる情報表示装置を提供することを目的とする。
【課題を解決するための手段】
【００１５】
上記目的を達成するために本発明は、
複数の電極からなる第１の電極層と、前記第１の電極層と対向配置された第２の電極層と、前記第１の電極層と前記第２の電極層との間に挟み込まれた情報表示層とを有し、前記複数の電極に電圧を印加することにより、一方の面側から視認した場合に、前記情報表示層の前記複数の電極に対向する領域にて当該電極に印加された電圧に応じた色を表示し、前記情報表示層における表示色を視認する側の表面が平坦形状を有する情報表示装置において、
前記平坦形状を有する表面上に、透光性を具備する凹凸層が積層されていることを特徴とする。
【００１６】
上記のように構成された本発明においては、第１の電極層を構成する電極に電圧が印加されると、一方の面側から見た場合に、情報表示層の第１の電極層を構成する電極に対向する領域にてその電極に印加された電圧に応じた色が表示されるが、情報表示層における表示色を視認する側の表面が平坦形状となっていると、この情報表示装置を斜めから見た場合、情報表示装置にて情報が視認される面側において、情報を視認する視点に対して、視認する情報が表示される情報視認点を挟んで反対側に蛍光灯等の光源が配置され、かつ、情報視認点に対する視点からの視認角度が、光源からの照射光の情報視認点に対する照射角度と同一であると、光源から照射された照射光が、情報表示装置の表面にて反射して視点に向かい、その反射光の影響により、情報表示層にて表示された情報が見難くなってしまう。ここで、本発明においては、情報表示層における表示色を視認する側の表面となる平坦形状を有する面上に、透光性を具備する凹凸層が積層されているため、情報表示装置を斜めから見た場合、光源から照射された照射光がこの凹凸層にて乱反射し、それにより、情報を視認する視点の方向には照射光のうち一部しか反射しない、もしくは全く反射しなくなり、情報表示層にて表示される情報が見にくくなってしまうことがない。
【発明の効果】
【００１７】
以上説明したように本発明においては、情報表示層における表示色を視認する側の表面となる平坦形状を有する面上に、透光性を具備する凹凸層が積層された構成としたため、情報表示装置を斜めから見た場合、光源から照射された照射光がこの凹凸層にて乱反射し、それにより、情報を視認する視点の方向には照射光のうち一部しか反射しない、もしくは全く反射しなくなり、情報表示層にて表示される情報を視認する側の表面が平坦形状を有する情報表示装置においてその表面を斜めから見た場合であっても、情報表示層にて表示される情報が見ににくくなることを回避することができる。
【図面の簡単な説明】
【００１８】
【図１】本発明の情報表示装置の実施の一形態を示す図であり、（ａ）は表面図、（ｂ）は（ａ）に示したＡ−Ａ’断面図、（ｃ）は（ｂ）に示したＡ部拡大図である。
【図２】図１に示した情報表示装置の動作を説明するための図である。
【図３】図１に示した情報表示装置においてマット層による作用を説明するための図である。
【図４】一般的な電気泳動ディスプレイの一例を示す図であり、（ａ）は表面図、（ｂ）は（ａ）に示したＡ−Ａ’断面図、（ｃ）は（ｂ）に示したＡ部拡大図である。
【図５】図４に示した電気泳動ディスプレイを斜めから見た場合の作用を説明するための図である。
【発明を実施するための形態】
【００１９】
以下に、本発明の実施の形態について図面を参照して説明する。
【００２０】
図１は、本発明の情報表示装置の実施の一形態を示す図であり、（ａ）は表面図、（ｂ）は（ａ）に示したＡ−Ａ’断面図、（ｃ）は（ｂ）に示したＡ部拡大図である。
【００２１】
本形態は図１に示すように、ＰＥＴ等からなるベース基材１２の一方の面に第１の電極層を構成する複数の表示電極１１ａ〜１１ｕが形成された表示装置用電極基板１０と、ガラスや透明フィルム等からなる透明基板２２の一方の面に透明電極２１が形成されてなる透明導電膜基板２０との間に情報表示層３０が挟み込まれ、さらに、透明導電膜基板２０上にマスクフィルム４０及び凹凸層となるマット層５０が積層されて構成されている。
【００２２】
表示装置用電極基板１０は、ベース基材１２の一方の面に、表示される情報に応じたパターンで表示電極１１ａ〜１１ｕが形成されているとともに、ベース基材１２の他方の面には、その全面にアルミ層１３が積層されている。本形態は、この表示電極１１ａ〜１１ｕを用いて数字を表示するものであって、表示電極１１ａ〜１１ｃによって３つのセグメントからなる表示部と、表示電極１１ｄ〜１１ｌによって９つのセグメントからなる表示部と、表示電極１１ｍ〜１１ｕによって９つのセグメントからなる表示部とからなり、ベース基材１２に形成された配線（不図示）を介して、これら表示電極１１ａ〜１１ｕに対して選択的に電圧が印加され、“０”〜“１９９”までの数字を表示することができる。
【００２３】
情報表示層３０は図１（ｃ）に示すように、隔壁３１とシール層３４とで囲まれた領域に、帯電性粒子３３が分散した隔壁内液体３２が収容されて構成されている。そして、表示装置用電極基板１０、情報表示層３０及び透明導電膜基板２０は、透明電極２１と表示電極１１ａ〜１１ｕとが、隔壁３１とシール層３４とで囲まれた領域に収容された隔壁内液体３２を介して対向するように積層されている。なお、隔壁３１は、底部と、情報表示層３０の外周部となる側部と、側部で囲まれた領域を、例えば１３０μｍ□で複数の領域に区画するための壁部とからなり、底部とは反対側の面が開口した形状となっている。そして、底部側が表示装置用電極基板１０に対向するように積層されており、開口した側にシール層３４が積層されている。
【００２４】
マスクフィルム４０は、ＰＥＴ等からなり、その表面が平坦形状を有する透明なフィルム基材４１上に、上述した表示電極１１ａ〜１１ｕによる表示部を取り囲むように、着色インキを用いてマスク印刷４２が施されており、それにより、表示電極１１ａ〜１１ｕに接続された配線を隠蔽している。また、フィルム基材４１は、防湿性を備えている防湿フィルムであることがより好ましい。防湿フィルムとしては透明な防湿シートであれば特に限定はないが、有機層と無機層を接着させてなる構成からなるものがより好ましく、有機フィルムとしては、メチルメタクリレート共重合物とブチルアクリレート共重合物の層と、ポリエチレンテレフタレートの層と、ポリエチレンの層から積層されるものが好ましい。無機層としては、水分を吸着する無機材料であれば特に限定されないが、例えば、シリカ、アルミナ等の無機微粒子を挙げることができる。
【００２５】
マット層５０は、フィルム基材４１のマスク印刷４２が施された面の全面に透光性を有するマットインキが塗工されることにより形成されている。このマットインキの塗工方式は特に限定されないが、オフセット印刷方式やスクリーン印刷方式を選択することができる。このマットインキとして用いられる光重合型オフセット塗工用マットインキの成分及び含有量としては、例えば下記表に記載のものが挙げられる。
【００２６】
【表１】
2011197637.tif 000003
【００２７】
なお、含有量については、上記表における括弧内の範囲であれば変更することができる。
【００２８】
また、上記感光性樹脂については、ヒドロキシフェニル（メタ）アクリレートを含む重合体または共重合体に不飽和二重結合を導入した樹脂を使用することもできる。このヒドロキシフェニル（メタ）アクリレートを含む重合体は、ヒドロキシフェニル（メタ）アクリレートからなる構成単位を必須成分として含み、具体的には、ｏ−ヒドロキシフェニルアクリレート、ｍ−ヒドロキシフェニルアクリレート、ｐ−ヒドロキシフェニルアクリレート、ｏ−ヒドロキシフェニルメタクリレート、ｍ−ヒドロキシフェニルメタクリレート、ｐ−ヒドロキシフェニルメタクリレートの重合体が挙げられ、これらの単独又は２種以上を組み合わせて使用できる。
【００２９】
また、上記感光性モノマーについては、不飽和基含有重合性化合物として例えば、アクリル酸、メタクリル酸、クロトン酸、マレイン酸、フマル酸、シトラコン酸、メサコン酸、イタコン酸、無水マレイン酸、無水フマル酸、無水シトラコン酸、無水メサコン酸、無水イタコン酸、ビニル安息香酸、ｏ−カルボキシフェニル（メタ）アクリレート、ｍ−カルボキシフェニル（メタ）アクリレート、ｐ−カルボキシフェニル（メタ）アクリレート、ｏ−カルボキシフェニル（メタ）アクリルアミド、ｍ−カルボキシフェニル（メタ）アクリルアミド、ｐ−カルボキシフェニル（メタ）アクリルアミド、コハク酸モノ〔２−（メタ）アクリロイロキシエチル〕、フタル酸モノ〔２−（メタ）アクリロイロキシエチル〕、ω−カルボキシポリカプロラクトンモノ（メタ）アクリレート、５−カルボキシビシクロ[２．２．１]ヘプト−２−エン、５，６−ジカルボキシビシクロ[２．２．１]ヘプト−２−エン、５−カルボキシ−５−メチルビシクロ[２．２．１]ヘプト−２−エン、５−カルボキシ−５−エチルビシクロ[２．２．１]ヘプト−２−エン、５−カルボキシ−６−メチルビシクロ[２．２．１]ヘプト−２−エン、５−カルボキシ−６−エチルビシクロ[２．２．１]ヘプト−２−エン、５，６−ジカルボキシビシクロ[２．２．１]ヘプト−２−エン無水物、トリシクロ［５．２．１．０2,6］デカン−８−イル（メタ）アクリレート、トリシクロ［５．２．１．０2,6］デカン−８−イルオキシエチル（メタ）アクリレート、メチル（メタ）アクリレート、エチル（メタ）アクリレート、ｎ−ブチル（メタ）アクリレート、ｓｅｃ−ブチル（メタ）アクリレート、ｔ−ブチル（メタ）アクリレート、２−エチルヘキシル（メタ）アクリレート、イソデシル（メタ）アクリレート、ｎ−ラウリル（メタ）アクリレート、トリデシル（メタ）アクリレート、ｎ−ステアリル（メタ）アクリレート、シクロヘキシル（メタ）アクリレート、２−メチルシクロヘキシル（メタ）アクリレート、イソボルニル（メタ）アクリレート、ヒドロキシメチル（メタ）アクリレート、２−ヒドロキシエチル（メタ）アクリレート、３−ヒドロキシプロピル（メタ）アクリレート、４−ヒドロキシブチル（メタ）アクリレート、ジエチレングリコールモノ（メタ）アクリレート、２，３−ジヒドロキシプロピル（メタ）アクリレート、２−（メタ）アクリロイロキシエチルグリコサイド、フェニル（メタ）アクリレート、ベンジル（メタ）アクリレート、ｏ−メトキシフェニル（メタ）アクリレート、ｍ−メトキシフェニル（メタ）アクリレート、ｐ−メトキシフェニル（メタ）アクリレート、３−メチル−４−ヒドロキシフェニル（メタ）アクリレート、２−メチル−４−ヒドロキシフェニル（メタ）アクリレート、ジメチルヒドロキシフェニル（メタ）アクリレート、マレイン酸ジエチル、フマル酸ジエチル、イタコン酸ジエチル、ビシクロ[２．２．１]ヘプト−２−エン、５−メチルビシクロ[２．２．１]ヘプト−２−エン、５−エチルビシクロ[２．２．１]ヘプト−２−エン、５−メトキシビシクロ[２．２．１]ヘプト−２−エン、５−エトキシビシクロ[２．２．１]ヘプト−２−エン、５，６−ジメトキシビシクロ[２．２．１]ヘプト−２−エン、５，６−ジ��トキシビシクロ[２．２．１]ヘプト−２−エン、５−ｔ−ブトキシカルボニルビシクロ[２．２．１]ヘプト−２−エン、５−シクロヘキシルオキシカルボニルビシクロ[２．２．１]ヘプト−２−エン、５−フェノキシカルボニルビシクロ[２．２．１]ヘプト−２−エン、５，６−ジ（ｔ−ブトキシカルボニル）ビシクロ[２．２．１]ヘプト−２−エン、５，６−ジ（シクロヘキシルオキシカルボニル）ビシクロ[２．２．１]ヘプト−２−エン、５−（２’−ヒドロキシエチル）ビシクロ[２．２．１]ヘプト−２−エン、５，６−ジヒドロキシビシクロ[２．２．１]ヘプト−２−エン、５，６−ジ（ヒドロキシメチル）ビシクロ[２．２．１]ヘプト−２−エン、５，６−ジ（２’−ヒドロキシエチル）ビシクロ[２．２．１]ヘプト−２−エン、５−ヒドロキシ−５−メチルビシクロ[２．２．１]ヘプト−２−エン、５−ヒドロキシ−５−エチルビシクロ[２．２．１]ヘプト−２−エン、５−ヒドロキシメチル−５−メチルビシクロ[２．２．１]ヘプト−２−エン、グリシジル（メタ）アクリレート、α−エチル（メタ）アクリル酸グリシジル、（メタ）アクリル酸−３，４−エポキシブチル、α−エチル（メタ）アクリル酸−３，４−エポキシブチル、（メタ）アクリル酸−６，７−エポキシヘプチル、α−エチル（メタ）アクリル酸−６，７−エポキシヘプチル、ビニルグリシジルエーテル、アリルグリシジルエーテル、イソプロペニルグリシジルエーテル、ｏ−ビニルベンジルグリシジルエーテル、ｍ−ビニルベンジルグリシジルエーテル、ｐ−ビニルベンジルグリシジルエーテル、ビニルシクロヘキセンモノオキサイド、３，４−エポキシシクロヘキシルメチル（メタ）アクリレート、２−（メタ）アクリロイルオキシエチルイソシアネート、スチレン、α−メチルスチレン、ｏ−メチルスチレン、ｍ−メチルスチレン、ｐ−メチルスチレン、ｏ−メトキシスチレン、ｍ−メトキシスチレン、ｐ−メトキシスチレン、１，３−ブタジエン、イソプレン、２，３−ジメチル−１，３−ブタジエン、アクリロニトリル、メタクリロニトリル、塩化ビニル、塩化ビニリデン、アクリルアミド、メタクリルアミド、酢酸ビニル、ｏ−ヒドロキシフェニル（メタ）アクリルアミド、ｍ−ヒドロキシフェニル（メタ）アクリルアミド、ｐ−ヒドロキシフェニル（メタ）アクリルアミド、３，５−ジメチル−４−ヒドロキシベンジル（メタ）アクリルアミド、フェニルマレイミド、ヒドロキシフェニルマレイミド、シクロヘキシルマレイミド、ベンジルマレイミド、トリフルオロメチル（メタ）アクリレート等の単独又は２種以上を組み合わせて使用できる。これらは、透明性、耐熱性、密着性、耐薬品性、電気特性、屈折率、塗布性、現像性、保存安定性、機械的強度等の調整のため、各特性に悪影響を与えない範囲内で任意の割合で使用することができる。上記の中では（メタ）アクリル酸、グリシジル（メタ）アクリレートが好ましい。ラジカル重合性モノマーとしては、フェノールエチレンオキサイド変性（メタ）アクリレート、パラクミルフェノールエチレンオキサイド変性（メタ）アクリレート、ノニルフェノールエチレンオキサイド変性（メタ）アクリレート、ノニルフェノールプロピレンオキサイド変性（メタ）アクリレート、２−エチル���キシルカルビトール（メタ）アクリレート、Ｎ−ビニル−２−ピロリドン、イソボルニル（メタ）アクリレート、ビスフェノールＦエチレンオキサイド変性ジ（メタ）アクリレート、イソシアヌル酸エチレンオキサイド変性（メタ）アクリレート、トリプロピレングリコールジ（メタ）アクリレート、ペンタエリスリトールジ（メタ）アクリレートモノステアレート、ポリエチレングリコールジ（メタ）アクリレート、ポリプロピレングリコールジ（メタ）アクリレート、ペンタエリスリトールトリ（メタ）アクリレート、トリメチロールプロパントリ（メタ）アクリレート、トリメチロールプロパンエチレンオキサイド変性トリ（メタ）アクリレート、トリメチロールプロパンプロピレンオキサイド変性トリ（メタ）アクリレート、イソシアヌル酸エチレンオキサイド変性トリ（メタ）アクリレート等が挙げられ、これらの単独又は２種以上を組み合わせて使用できる。
【００３０】
また、上記光開始剤において、重合開始剤として、ラジカル重合開始剤、カチオン重合開始剤、アニオン重合開始剤等を使用できるが、ラジカル重合開始剤としては例えば、アゾビスイソブチロニトリル、アゾビス−２，４−ジメチルバレロニトリル、アゾビスシクロヘキサンカルボニトリル、アゾビス−２−アミジノプロパン塩酸塩、アゾビスイソ酪酸ジメチル、アゾビスイソブチルアミジン塩酸塩または４，４‘−アゾビス−４−シアノ吉草酸等のアゾ系開始剤、過酸化ベンゾイル、２，４−ジクロル過酸化ベンゾイル、過酸化ジ−ｔｅｒｔ−ブチル、過酸化ラウロイル、過酸化アセチル、過酸化ジイソプロピルジカーボネート、クメンヒドロパーオキシド、ｔｅｒｔ−ブチルヒドロパーオキシド、ジクミルパーオキシド、ｐ−メタンヒドロパーオキシド、ピナンヒドロパーオキシド、メチルエチルケトンパーオキシド、シクロヘキサノンパーオキシド、ジイソプロピルパーオキシジカルボナート、ｔｅｒｔ−ブチルパーオキシラウレート、ｔｅｒｔ−ブチルパーオキシベンゾエート、ジ−ｔｅｒｔ−ブチルパーオキシフタレート、ジベンジルオキシドまたは２，５−ジメチルヘキサン−２，５−ジヒドロパーオキシド等の過酸化物系開始剤、または過酸化ベンゾイル−Ｎ，Ｎ−ジメチルアニリンまたはペーオキソ二硫酸−亜硫酸水素ナトリウム等のレドック系開始剤を用いることができる。これらのラジカル重合開始剤は、単独でもまたは２種以上を同時にまたは順次使用することができる。カチオン重合開始剤としては、通常のカチオン重合において用いられる開始剤は何れも使用することができ、例えば、三フッ化ホウ素、三塩化アルミニウム、四塩化錫、四塩化チタン、五塩化アンチモン等のフリーデル・クラフツ型触媒、硫酸、塩酸、リン酸等の水素酸、ヨード、その他広義の酸を挙げることができる。アニオン重合開始剤としては、リチウム、ナトリウム等のアルカリ金属およびアルカリアミド、アルカリアルコラート、或いは有機アルカリ金属化合物、グリニヤール試薬、有機アルカリ土類金属化合物、その他広義の塩基を挙げることができる。光ラジカル開始剤としては、ベンゾイン類、アセトフェノン類、ベンゾフェノン類、アントラキノン類、キサントン類、チオキサントン類、ケタール類、ホスフィンオキサイド類などが挙げられ、具体的には例えば２，２‘−ジメトキシ−１，２−ジフェニルエタン−１−オン、１−ヒドロキシ−シクロヘキシル−フェニル−ケトン、２−ヒドロキシ−２−メチル−１−フェニル−プロパン−１−オン、ベンゾフェノン、１−[４−（２−ヒドロキシエトキシ）−フェニル]−２−ヒドロキシ−２−メチル−１−プロパン−１−オン、２−メチル−１−[４−（メチルチオ）フェニル]−２−モルフォリノプロパン−１−オン、２−ベンジル−２−ジメチルアミノ−１−（４−モルフォリノフェニル）−ブタノン−１、ビス（２，６−ジメトキシベンゾイル）２，４，４−トリメチル−ペンチルフォスフィンオキサイド、ビス（２，４，６−トリメチルベンゾイル）−フェニルフォスフィンオキサイド等を挙げることができ、これらの１種若しくは２種以上を組み合わせても良い。又、必要に応じて増感剤アミン類、例えばジメチルアミノエチルメタクリレート、ｎ−ブチル��ミン、トリエチルアミン、４−ジメチルアミノ安息香酸イソアミル等を適量併用することができる。光ラジカル開始剤は、活性エネルギー線の光源として、低圧水銀灯、中圧水銀灯、高圧水銀灯、超高圧水銀灯、メタルハライドランプ、キセノンランプ、レーザー光線、エックス線などの照射によりラジカルを発生する。
【００３１】
また、上記マット剤については、不定形シリカ以外に、酸化チタンや合成雲母、アクリル微粒子、酸化亜鉛、クレー、カオリン、水酸化アルミニウム、アルミナの化合物あるいはシリコン樹脂微粒子ビーズを使用することも可能である。
【００３２】
また、光重合型オフセット塗工用インキの他に、溶剤乾燥型のスクリーン印刷用インキを用いて反射防止膜を形成することができる。溶剤乾燥型のスクリーン印刷用インキの成分及び含有量としては、例えば下記表に記載のものが挙げられる。
【００３３】
【表２】
2011197637.tif 000004
【００３４】
表２に示すように、マット剤含有の溶剤乾燥型のインキは、架橋剤を含有していることが好ましく、特に、マスクフィルムが防湿性を備えている場合に好ましく利用できる。防湿性能を持たせたマスクフィルムでは、溶剤乾燥型スクリーン印刷用インキとの馴染みが悪くその定着性に影響を及ぼす可能性があることから、架橋剤を添加した溶剤乾燥型スクリーン印刷用インキを用いることで、そのフィルムへの定着性を向上させることが可能となる。
【００３５】
合成樹脂としては、表２に示したものがより好ましく使用できるが、この他に、ウレタン樹脂、ポリアミド樹脂、酢酸ビニル樹脂、フェノール樹脂、オレフィン、エチレン−酢酸ビニル共重合体樹脂、ポリビニルアセタール樹脂、天然ゴム、スチレン−ブタジエン共重合体、アクリルニトリル−ブタジエン共重合体、酢酸ビニル−アクリル共重合体、エチレン−エチルアクリレート共重合体、ポリエステルポリオール、ポリエステルポリウレタンポリオール、ポリエーテルポリウレタンポリオール等の樹脂を用いることができる。
【００３６】
架橋剤としては、表２に示したものがより好ましく使用できるが、アミン系、ポリイソシアネート等を用いることができる。
【００３７】
ポリイソシアネートとしては、特に限定されることなく、例えば、ジフェニルメタンジイソシアネート、トリレンジイソシアネート、ナフタレンジイソシアネート等の芳香族ポリイソシアネート類のほか、ヘキサメチレンジイソシアネート、リジンメチルエステルジイソシアネート等の脂肪族ポリイソシアネート類、水添ジフェニルメタンジイソシアネート、イソホロンジイソシアネート、ノルボルナンジイソシアネート、水添トリレンジイソシアエート等の脂環式ポリイソシアネート類が挙げられる。
【００３８】
また、耐摩耗性及び耐指紋性向上を目的として、表１に示した成分以外に、表１に示したインキ成分を１００％としたとき、固形パラフィンを１〜５部添加することが好ましい。
【００３９】
以下に、上記のように構成された情報表示装置１の動作について説明する。
【００４０】
図２は、図１に示した情報表示装置１の動作を説明するための図であり、図１（ｃ）に示した領域における動作を例として示す。
【００４１】
図１に示した情報表示装置１において、例えば、透明電極３２をＧＮＤ電位とし、また、表示電極１１ｌにプラスの電圧を印加するとともに表示電極１１ｓにマイナスの電位を印加する。
【００４２】
すると、隔壁３１及びシール層３４で囲まれた領域に収容された隔壁内液体３２が誘電性物質からなり、帯電性粒子３３がマイナス電位に帯電しているものであることから、図２に示すように、帯電性粒子３３が隔壁内液体３２内をクーロン力で移動し、プラスの電圧が印加された表示電極１１ｌに対向する領域においては帯電性粒子３３が表示電極１１ｌ側に引き寄せられ、また、マイナスの電圧が印加された表示電極１１ｓに対向する領域においては帯電性粒子３３が透明電極２１側に引き寄せられる。
【００４３】
そして、隔壁内液体３２が染料または顔料で着色されており、帯電性粒子３３が高屈折率の光散乱成分を含むため、情報表示層３０を透明導電膜基板２０が積層された面側から視認した場合、表示電極１１ｌに対向する領域が着色された状態に見え、また、表示電極１１ｓに対向する領域が白色に見えるようになる。また、表示電極１１ａ〜１１ｋ，１１ｍ〜１１ｒ，１１ｔ，１１ｕに対向する領域においても、表示電極１１ａ〜１１ｋ，１１ｍ〜１１ｒ，１１ｔ，１１ｕに対してプラスの電圧とマイナスの電圧とのいずれか一方が選択的に印加されることにより、着色された状態あるいは白色に見えるようになる。そして、マット層５０が、透光性を有するマットインキが塗工されることにより形成されていることから、この情報表示装置１をマット層５０側から視認した場合、表示電極１１ａ〜１１ｕに印加された電圧に応じて、“０”〜“１９９”までの数字が表示、視認されることになる。なお、情報表示層３０のうち、表示電極１１ａ〜１１ｕに対向しない領域においては、帯電性粒子３３が隔壁内液体３２内に分散した状態となっており、それにより、情報表示装置１をマット層５０か視認した場合、白色と着色された色との中間色に見えている。
【００４４】
以下に、図１に示した情報表示装置１においてマット層５０による作用について説明する。
【００４５】
図３は、図１に示した情報表示装置１においてマット層５０による作用を説明するための図である。
【００４６】
図１に示した情報表示装置１を斜めから見た場合、図３に示すように、蛍光灯等の光源２から照射された照射光３は、情報表示装置１の表面に積層されたマット層５０にて乱反射し、一定の方向には反射しない。そのため、情報表示装置１にて情報が視認される面側において、情報を視認する視点５に対して、視認する情報が表示される情報視認点６を挟んで反対側に光源２が配置され、かつ、情報視認点６に対する視点５からの視認角度θが、光源２からの照射光３の情報視認点６に対する照射角度θと同一であっても、光源２から照射された照射光３は、情報を視認する視点５の方向にはその一部しか反射しない、もしくは全く反射しなくなる。そのため、情報を視認する視点５においては、情報表示装置１の表面にて反射した反射光４の影響をほとんど受けることがなく、情報表示層３０にて表示される情報が見にくくなってしまうことがなくなる。また、光源２から照射された照射光３がマット層５０に入り込んでも、入り込んだ光はマット層５０内で散乱して情報表示層３０まで届かず、反射される光の量が少なくなり、これによっても、情報表示層３０にて表示される情報が見にくくなってしまうことがない。
【００４７】
なお、本形態においては、透明導電膜基板２０上に、フィルム基材４１の表面にマスク印刷４２が施されたマスクフィルム４０を積層した構成を例に挙げて説明したが、マスクフィルム４０を設けずに、透明導電膜基板２０上にマスク印刷を直接施す構成としてもよい。ただし、本形態のように、フィルム基材４１の表面にマスク印刷４２が施されたマスクフィルム４０を透明導電膜基板２０上に積層したものにおいては、ベース基材１２上に形成された配線の形状等に応じてマスクフィルム４０を取り替えるだけで、異なる用途に用いることができる。
【００４８】
また、本形態においては、情報表示層３０として、隔壁内液体３２に分散した帯電性粒子３３が、表示電極１１ａ〜１１ｕに対する電圧印加によって表示電極１１ａ〜１１ｕ側または透明電極２１側に移動して表示が切り替わる垂直型電気泳動方式の薄型表示部材を例に挙げて説明したが、情報表示層３０としては、表示電極によって電圧が印加されることにより情報を表示する情報表示層を有するものであれば、コレステリック液晶や電子粉粒タイプのもの等、適宜適用することができる。
【符号の説明】
【００４９】
１    情報表示装置
２    光源
３    照射光
４    反射光
５    視点
６    情報視認点
１０    表示装置用電極基板
１１ａ〜１１ｕ    表示電極
１２    ベース基材
１３    アルミ層
２０    透明導電膜基板
２１    透明電極
２２    透明基板
３０    情報表示層
３１    隔壁
３２    隔壁内液体
３３    帯電性粒子
３４    シール層
４０    マスクフィルム
４１    フィルム基材
４２    マスク印刷
【図１】
2011197637.tif 000005
【図２】
2011197637.tif 000006
【図３】
2011197637.tif 000007
【図４】
2011197637.tif 000008
【図５】
2011197637.tif 000009